(57)【要約】  既存の全てのデザインの被り物を発光被り物として品揃え可能にする。  被り物の内面に向き合う差込片と、被り物の外側に突き出る突出片を交叉させ、その交叉箇所で接合する。突出片の内部に発光ダイオードを埋設する。その発光ダイオードの輝点を突出片の外周縁の周側面に顕出させて被り物用発光体を構成する。差込片と突出片の交叉箇所は、弓形に彎曲した曲線として差込片と突出片の幅方向に連続させる。発光ダイオードは、差込片から離れる方向に突き出る突出片の外周縁に沿って複数個配置する。発光ダイオードに接続される電子回路素子は、差込片と突出片の何れかに組み込むとよい。発光ダイオードを点滅するスイッチは、差込片に対して裏側となる突出片の裏面に配置する。
2011055509.tif 000002
【特許請求の範囲】
【請求項１】
次の要素（ａ）〜（ｆ）を具備する被り物用発光体。
（ａ)   被り物（１１）の内面（１０）に向き合う差込片（１２）と、被り物の外側に突き出る突出片（１３）が交叉している。それらの差込片（１２）と突出片（１３）は、それらの交叉箇所（１４）において接合されている。
（ｂ）  その交叉箇所（１４）は、弓形に彎曲した曲線を描いている。その交叉箇所（１４）が描く弓形に彎曲した曲線は、差込片（１２）と突出片（１３）の幅方向に連続している。
（ｃ）  複数個の発光ダイオード（１６）が、差込片（１２）から離れる方向に突き出る突出片（１３）の外周縁（１５）に沿って配置されている。
（ｄ）  発光ダイオード（１６）を点滅するスイッチ（１９）が、差込片（１２）に対して裏側となる突出片（１３）の裏面（２０）に配置されている。
（ｅ）  発光ダイオード（１６）が、突出片（１３）の内部に埋設されている。
（ｆ）  その発光ダイオードの輝点（２１）が、突出片（１３）の外周縁の周側面（２２）に顕出している。
【請求項２】
発光ダイオード用取替電池（２３) が、差込片（１２) に着脱自在に配置されている前掲請求項１に記載の被り物用発光体。
【請求項３】
離形紙（２６) に表面が被覆された粘着材（２７) が、突出片の表面（２４) と差込片の正面（１８) と背面（２５) の何れかに貼着されている前掲請求項１と２の何れかに記載の被り物用発光体。
【請求項４】
雄型面ファスナー（２８) と雌型面ファスナー（２９) の何れかが、突出片の表面（２４) と差込片の正面（１８) と背面（２５) の何れかに取り付けられている前掲請求項１と２と３の何れかに記載の被り物用発光体。
【請求項５】
（ａ）  突出片の表面（２４) と差込片の正面（１８) と背面（２５) の何れかに取り付けられている雄型面ファスナーまたは雌型面ファスナー（２８・２９）に対応する雄型面ファスナーまたは雌型面ファスナー（２８・２９）が、その突出片の表面（２４)と差込片の正面（１８) と背面（２５) の何れかに取り付けられている雄型面ファスナーまたは雌型面ファスナー（２８・２９）に、係止されている。
（ｂ）  粘着材（３０) が、突出片の表面（２４) と差込片の正面（１８) と背面（２５) の何れかに取り付けられている雄型面ファスナーまたは雌型面ファスナー（２８・２９）に係止されている雄型面ファスナーまたは雌型面ファスナー（２８・２９）の裏面に裏打ちされている。
（ｃ）  裏打ちされた粘着材（３０) の層が、離形紙（３１) に被覆されている前掲請求項４に記載の被り物用発光体。
【発明の詳細な説明】
【技術分野】
【０００１】
本発明は、発光装置を具備する帽子、サンバイザー、ヘルメット、笠等の発光被り物に関するものである。
【背景技術】
【０００２】
発光ダイオード（ＬＥＤ素子）は発光被り物の発光装置に使用されている。例えば、特許文献１が示すように被り物の頭頂部に、或いは、特許文献２・３が示すように外周部に、或いは、特許文献４・５・６が示すように被り物の後頭部に、或いは、特許文献７・８・９が示すように被り物の前頭部に、発光ダイオードの輝点は配置される。【０００３】
本発明者は、発光被り物の発光ダイオードが、照明装置としての機能を有することに着目した。
特許文献１０が示すように、本発明者は、単に他者に着用者の存在を喚起する視認装置として使用されるだけの発光被り物ではなく、着用者が照明装置として使用し得るように工夫した鍔付き発光被り物も開発している。
【先行技術文献】
【特許文献】
【０００４】
【特許文献１】実開昭５９−１８９８３４号公報
【特許文献２】特開平１１−３２９００３号公報
【特許文献３】登録実用新案第３０２６３９８号公報
【特許文献４】特開平０６−０５７５１１号公報
【特許文献５】特開平０９−３０２５１６号公報
【特許文献６】特開平１０−００８３１９号公報
【特許文献７】特開平０８−１００３１８号公報
【特許文献８】実開昭６１−１７６２２４号公報
【特許文献９】実開昭６４−００７２２４号公報
【特許文献１０】特開２００９−２４２８３号公報
【発明の概要】
【発明が解決しようとする課題】
【０００５】
本発明者が先に開発した鍔付き発光被り物は、特殊な被り物であり、発光装置と被り物とが一体になっている。
本発明者が先に開発した鍔付き発光被り物のデザインは、限定されている。
即ち、本発明者が開発した鍔付き発光被り物は、発光ダイオードを有しない在来の被り物のように、デザインを変えて豊富に品揃えするには不向きである。【０００６】
そこで本発明は、女性用と男性用、或いは、子供用と大人用とを問わず、又、帽子、笠、サンバイザー、ヘルメット等の種類を問わず、デザインの異なる全ての被り物を発光被り物として提供することを主たる目的とする。【０００７】
本発明の他の目的は、店頭において、或いは、着用時に、発光ダイオードを有しない既存の被り物を発光被り物として販売、或いは、使用し得るようにすることである。【０００８】
本発明の更なる他の目的は、光ダイオードと電池を備えた発光被り物の暗闇での使用中に電池切れが生じたときでも慌てずに済むようにすることにある。
【課題を解決するための手段】
【０００９】
本発明に係る被り物用発光体は、次の要素（ａ) 〜（ｆ）を具備することを第１の特徴とする。
（ａ)   被り物１１の内面１０に向き合う差込片１２と、被り物の外側に突き出る突出片１３が交叉している。
そして、それらの差込片１２と突出片１３は、それらの交叉箇所１４において接合されている。
（ｂ）  その交叉箇所１４は、弓形に彎曲した曲線を描いている。
その交叉箇所１４が描く弓形に彎曲した曲線は、差込片１２と突出片１３の幅方向に連続している。
（ｃ）  複数個の発光ダイオード１６が、差込片１２から離れる方向に突き出る突出片１３の外周縁１５に沿って配置されている。
（ｄ）  発光ダイオード１６を点滅するスイッチ１９が、差込片１２に対して裏側となる突出片１３の裏面２０に配置されている。
（ｅ）  発光ダイオード１６が、突出片１３の内部に埋設されている。
（ｆ）  その発光ダイオードの輝点２１が、突出片１３の外周縁の周側面２２に顕出している。【００１０】
本発明に係る被り物用発光体の第２の特徴は、上記第１の特徴に加えて、発光ダイオード用取替電池２３が、差込片１２に着脱自在に配置されている点にある。【００１１】
本発明に係る被り物用発光体の第３の特徴は、上記第１、第２の何れかの特徴に加えて、離形紙２６に表面が被覆された粘着材２７が、突出片の表面２４と差込片の正面１８と背面２５の何れかに貼着されている点にある。【００１２】
本発明に係る被り物用発光体の第４の特徴は、上記第１、第２、第３の何れかの特徴に加えて、雄型面ファスナー２８と雌型面ファスナー２９の何れかが、突出片の表面２４と差込片の正面１８と背面２５の何れかに取り付けられている点にある。【００１３】
本発明に係る被り物用発光体の第５の特徴は、上記第４の特徴に加えて、次の要素（ｇ）〜（ｉ）を具備する点にある。
（ｇ）  突出片の表面２４と差込片の正面１８と背面２５の何れかに取り付けられている雄型面ファスナーまたは雌型面ファスナー（２８・２９）に対応する雄型面ファスナーまたは雌型面ファスナー（２８・２９）が、その突出片の表面２４と差込片の正面１８と背面２５の何れかに取り付けられている雄型面ファスナーまたは雌型面ファスナー（２８・２９）に、係止されている。
（ｈ）  粘着材３０が、突出片の表面２４と差込片の正面１８と背面２５の何れかに取り付けられている雄型面ファスナーまたは雌型面ファスナー（２８・２９）に係止されている雄型面ファスナーまたは雌型面ファスナー（２８・２９）の裏面に、裏打ちされている。
（ｉ）  裏打ちされた粘着材３０の層が、離形紙３１に被覆されている。
【発明の効果】
【００１４】
本発明の発光体は、外見上交叉箇所１４で二つ折り可能な差込片１２と突出片１３とで構成されている。
そのため、図５に示すように、着用する被り物と額の間に差込片１２を差し込めば、額の前に突出片１３が突出する。
光を放つ発光ダイオード１６の輝点２１が、その突出した突出片１３の外周縁１５の周側面２２に顕出している。
従って、本発明の発光体と共に着用した被り物１１は、鍔先に発光ダイオードを装着した鍔付き発光被り物（前掲特許文献１０参照）と同様に、行く手や眼前を照らす照明装置としての機能を発揮する。【００１５】
本発明の発光体は、鍔付き発光被り物（前掲特許文献１０参照）のように、被り物と不離一体になっていない。
即ち、本発明の発光体は、図５に示すように、被り物の着用時に被り物と額の間に挟み込んで使用される。
従って、照明装置としての機能を必要としないときは、発光体は、被り物１１から分離される。
従って、本発明の被り物１１は、発光体を具備しない通常の被り物として使用することが出来る。【００１６】
本発明の発光体は、被り物１１と不離一体をなっていない。
本発明の発光体は、随時被り物１１の内面１０に差込片１２を重ね合わせて使用するものである。
従って、本発明の発光体は、女性用と男性用、或いは、子供用と大人用とを問わず、又、帽子、笠、サンバイザー、ヘルメット等の種類を問わず、デザインの異なる全ての被り物に適用することが出来る。
従って、本発明によると、店頭において、或いは、着用時に、全ての被り物を発光被り物に調製することが出来る。
そのように、全ての被り物を発光被り物に調製することが可能になるので、全ての被り物を発光被り物として品揃え、売買、使用することも可能になる。【００１７】
交叉箇所１４は、弓形に彎曲した曲線を描いている。
その交叉箇所１４が描く弓形に彎曲した曲線は、差込片１２と突出片１３の幅方向に連続している。
従って、被り物１１と一緒に使用する発光体の突出片１３は、通常の被り物の鍔３４が眼前に垂れ下がることがないのと同様に、眼前に垂れ下がらない。
従って、突出片１３が眼前に垂れ下がって視野が遮られるような不都合なことは起こらない。【００１８】
本発明の発光体は、図５に示すように、被り物と額の間に差込片１２を差し込んで使用するものである。
従って、本発明の発光体は、通常の被り物１１や鍔３４よりも小さい。
そして、本発明の発光体は、ポケットに入れて持ち歩くことが出来る。
又、本発明の発光体は、周囲の明暗の度合いに応じて、随時ポケットから取り出して使用することが出来る。
そのように、ポケットに入れて持ち歩くことが出来るので、本発明の発光体は、不使用時に邪魔にならない。【００１９】
暗闇の中で発光体を使用して照明して作業している時に、その発光体の電池が切れた時は、危険である。
その点、本発明では、図１に示すように、発光ダイオード用取替電池２３を差込片１２に着脱自在に配置している。
従って、発光体の電池が切れた時は、取替電池２３を探すことに手間取ることがなく、取替電池２３を取り出して即座に取り替えることが出来る。
従って、高所、或いは、広い工場内や建築現場、或いは又、山中原野で作業中に、発光体の電池が切れた時でも、危険がなく、慌てずに済む。【００２０】
取替電池２３は、発光体（差込片１２）に収められている。
そのため、取替電池２３を探し出すのに手間取らず、取替電池を持ち忘れることもなくなる。
取替電池２３は、発光体の一部材として差込片１２に収められている。
そのため、ボタン電池のように薄く小さい取替電池であっても、取替電池を見失うことも、紛失することもなくなる。【００２１】
本発明の発光体は、被り物１１と額の間に差し込んで使用される。
本発明の発光体は、ポケットに入れて持ち歩くことが出来る程度に小さい。
本発明の発光体の差込片１２は、額に馴染み易い。
本発明の発光体の差込片１２は、使用時に違和感や異物感を与えない。【００２２】
このように、本発明の発光体は、ポケットに入れて持ち歩くことが出来、持ち忘れなく、不使用時に邪魔にならず、電池切れが生じても不都合は生じない。
本発明の発光体は、最も簡便な被り物である鉢巻きに対しても、折り返した差込片１２の上端部の折返片３５を鉢巻きに巻き込んで使用することが出来る。
従って、本発明の発光体は、実用上頗る好都合である。【００２３】
図５に示すように、差込片１２が、上端部で折り返され、その折返片３５が、被り物の内縁取り材３２と被り物の内面１０の隙間に差し込まれるとき、その折返片３５が内縁取り材３２に引っ掛かるので、差込片１２が、脱落することはない。【００２４】
被り物１１の中には、サンバイザーや麦藁帽子のように、内縁取り材３２のないものもある。
その点、本発明によると、図３に示すように、突出片の表面２４と差込片の正面１８と背面２５の何れかに、離形紙２６に表面が被覆された粘着材２７が貼着されている。
その離形紙２６を剥がして発光体を被り物１１に粘着することが出来るので、使用中の発光体の被り物１１から脱落は、回避される。【００２５】
被り物の中には、その内面１０や鍔３４の下面、内縁取り材３２等がパイル布帛で構成されているものがある。
本発明によると、雄型面ファスナー２８と雌型面ファスナー２９の何れかが、突出片の表面２４と差込片の正面１８と背面２５の何れかに取り付けられる。
その雄型面ファスナー２８や雌型面ファスナー２９は、パイル布帛のパイルに係合する。従って、使用中の発光体の被り物１１から脱落は、回避される。【００２６】
図４に示されるように、内面１０や鍔３４にパイル布帛が使用されていない被り物１１でも、突出片の表面２４と差込片の正面１８と背面２５の何れかに取り付けられている雄型面ファスナーまたは雌型面ファスナー（２８・２９）に、その突出片の表面２４と差込片の正面１８と背面２５の何れかに取り付けられている雄型面ファスナーまたは雌型面ファスナー（２８・２９）に対応する雄型面ファスナーまたは雌型面ファスナー（２８・２９）が係止されている。
その突出片の表面２４と差込片の正面１８と背面２５の何れかに取り付けられている雄型面ファスナーまたは雌型面ファスナー（２８・２９）に係止されている雄型面ファスナーまたは雌型面ファスナー（２８・２９）の裏面に粘着材３０が裏打ちされている。
その裏打ちされた粘着材３０は、離形紙３１に被覆されている。
従って、（１）  離形紙３１が剥がされ、（２）  突出片の表面２４と差込片の正面１８と背面２５の何れかに取り付けられている雄型面ファスナーまたは雌型面ファスナー（２８・２９）に対応する雄型面ファスナーまたは雌型面ファスナー（２８・２９）が、突出片の表面２４と差込片の正面１８と背面２５の何れかに取り付けられている雄型面ファスナーまたは雌型面ファスナー（２８・２９）から剥離され、（３）  その剥離された雄型面ファスナーまたは雌型面ファスナーが、粘着材３０を介して被り物１１の内面１０や鍔３４に粘着されるとき、（４）  本発明の発光体は、被り物１１に、粘着材３０と雌雄の面ファスナー（２８・２９）と粘着材２７を介して、着脱自在に取り付けられることになる。
【図面の簡単な説明】
【００２７】
【図１】本発明に係る被り物用発光体の斜視図である。
【図２】本発明に係る被り物用発光体の断面図である。
【図３】本発明に係る被り物用発光体の断面図である。
【図４】本発明に係る被り物用発光体の断面図である。
【図５】本発明に係る被り物用発光体の被り物への取付手順を示す斜視図である。
【図６】本発明に係る被り物用発光体の被り物への着脱前後の斜視図である。
【発明を実施するための形態】
【００２８】
図２に示すように、差込片１２と突出片１３は、それぞれ表地と芯地と裏地を重ね合わせ、キルティング方式によって縫合される。
差込片１２と突出片１３は、交叉箇所１４において縫合一体化される。
表地と裏地には、織物、編物、不織布、人工皮革、合成皮革、天然皮革等の布帛類を用いるとよい。
突出片１３の芯地には、発光ダイオード１６やスイッチ１９の埋設する凹部を設けた射出成形プラスチック、打抜プラスチック等の定形性のあるプラスチック類を使用するとよい。
【００２９】
着用時に額に沿って変形可能であり、折返片３５を形成し得る程度の可撓性材料、例えば、発泡プラスチックや厚手の不織布等の多孔質材料は、差込片１２の芯地に好適に使用される。
図１に示すように、取替電池２３を係止するポケットやベルト３６は、差込片１２に設けられる。
ゴム糸やスパンデックス等のゴム弾性を有する繊維糸条を織編込んだ弾性布帛や弾性紐は、ポケットやベルト３６に好適に使用される。
【００３０】
図１に示すように、発光ダイオード１６は、外周縁１５に沿って３〜１０個、好ましくは６個前後（５〜７個）設けられる。
発光ダイオード１６に接続される電子回路素子１７は、差込片１２と突出片１３の何れかに組み込まれる。
【００３１】
図５に示すように、突出片１３は、被り物１１の鍔３４には代用されない。
突出片１３は、発光ダイオードの輝点２１を被り物１１の前面に向けて支持するために使用される輝点支持材である。
従って、突出片の突出長さｐは、突出片１３に発光ダイオードが収まる程度であればよい。
鍔３４のある被り物１１の突出片の突出長さｐは、突出片が鍔３４に覆い隠れる程度の長さでもよい。
鍔３４のない被り物の突出片の突出長さｐは、突出片が前方に僅かに突き出る程度であればよい。
即ち、突出片の突出長さｐは、差込片１２の差込深さｈの半分以下でもよく、概して２〜４ｃｍ程度であればよい（図１参照）。
【００３２】
本発明の発光体は図５に示すように被り物１１の鍔３４の代用品ではない。
従って本発明の発光体の幅は１１ｃｍ程度（８〜１４ｃｍ）であればよい。
【００３３】
そのように突出片１３のサイズを小さくすると、鍔３４のない被り物と共に使用しても、突出片１３が目立たない。
従って、被り物１１の体裁は、突出片１３によって損なわれない。
【００３４】
差込片１２と突出片１３とは、被り物１１から分離している発光体の未使用の状態で面一に平板に連続している（図６−ａ参照）。
差込片１２と突出片１３とは、発光体を被り物１１に装着した使用状態において、突出片１３が差込片１２から突き出るように、交叉していればよい（図６−ｂ参照）。
差込片１２と突出片１３とは、それらの交叉箇所１４において９５度〜１０５度の交叉角度θをもって交叉するように接合されていればよい（図１参照）。
【産業上の利用可能性】
【００３５】
本発明の発光体は、帽子、サンバイザー、ヘルメット、笠等の被り物の装飾品として使用することが出来る。
【符号の説明】
【００３６】
１０：被り物の内面
１１：被り物
１２：差込片
１３：突出片
１４：交叉箇所
１５：外周縁
１６：発光ダイオード
１７：電子回路素子
１８：差込片の正面
１９：スイッチ
２０：突出片の裏面
２１：輝点
２２：突出片の周側面
２３：取替電池
２４：突出片の表面
２５：差込片の背面
２６：離形紙
２７：粘着材
２８：雄型面ファスナー
２９：雌型面ファスナー
３０：粘着材
３１：離形紙
３２：内縁取り材
３３：貫通隙間
３４：鍔
３５：折返片
３６：ベルト
【図１】
2011055509.tif 000003
【図２】
2011055509.tif 000004
【図３】
2011055509.tif 000005
【図４】
2011055509.tif 000006
【図５】
2011055509.tif 000007
【図６】
2011055509.tif 000008
【手続補正書】
【提出日】平成23年10月4日(2011.10.4)
【手続補正１】
【補正対象書類名】図面
【補正対象項目名】図６
【補正方法】変更
【補正の内容】
【図６】
2011055509.tif 000009
【国際調査報告】
2011055509.tif 000010
2011055509.tif 000011
2011055509.tif 000012
2011055509.tif 000013